【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
ネットワークを通じて入力される映像信号に基づいて画像表示のための処理を行う画像処理装置であって、
前記映像信号に係る画面の表示切替りが開始したことを示す画面切替り情報に基づいて、前記映像信号に係る輝度制御値を決定する輝度決定手段と、
前記輝度決定手段からの前記輝度制御値に基づいて、前記映像信号に係る画面の表示切替りが開始したことに応じて輝度を低下させる輝度制御を行う輝度制御手段と、を備えることを特徴とする画像処理装置。
【請求項２】
前記輝度決定手段には前記映像信号に係る画面表示の経過状態を示す情報が入力され、
前記輝度制御手段は、前記経過状態を示す情報に基づいて、低下させた輝度を増加させることを特徴とする、請求項１に記載の画像処理装置。
【請求項３】
前記輝度決定手段には前記画面切替り情報として、ネットワーク上で指定されるアドレスに係るページ画面の表示が開始したことを示す情報が入力されることを特徴とする、請求項１又は２に記載の画像処理装置。
【請求項４】
前記輝度制御手段は、前記映像信号に対応した輝度になるように、低下させた輝度を徐々に増加させることを特徴とする、請求項２又は３に記載の画像処理装置。
【請求項５】
前記輝度決定手段には前記経過状態を示す情報として、ネットワーク上で指定されるアドレスに係るページ画面を表示する際に当該アドレスを指定して表示する総情報量のうち、表示中の情報量が占める割合を示す情報が入力されることを特徴とする、請求項２から４のいずれか１項に記載の画像処理装置。
【請求項６】
ネットワークを通じてデータを取得し、前記輝度決定手段に対して前記画面切替り情報及び前記経過状態を示す情報を出力するブラウザ表示処理手段を備えたことを特徴とする、請求項２から５のいずれか１項に記載の画像処理装置。
【請求項７】
前記輝度制御手段は、前記映像信号に対応した輝度よりも低くなるように輝度を低下させることを特徴とする、請求項１から６のいずれか１項に記載の画像処理装置。
【請求項８】
ネットワークを通じて入力される映像信号に基づいて画像表示のための処理を行う画像処理装置であって、
前記映像信号に係る画面の表示切替りが開始したことを示す画面切替り情報を受けて、画面表示の切替り時間に関する予測値を決定する切替り時間決定手段と、
前記画面切替り情報及び前記映像信号に係る画面表示の経過状態を示す情報を受けて、前記映像信号に係る画面表示の終了時間に関する予測値を決定する終了時間決定手段と、
前記画面切替り情報並びに前記切替り時間決定手段及び前記終了時間決定手段による各算出結果に基づいて予測輝度制御値を決定する予測輝度決定手段と、
前記予測輝度制御値に基づいて、前記映像信号に係る画面の表示切替りが開始したことに応じて輝度を低下させる輝度制御を行う輝度制御手段と、を備えることを特徴とする画像処理装置。
【請求項９】
前記切替り時間決定手段は、現時点までの前記切替り時間に関する履歴情報を保存し、当該履歴情報に基づいて前記予測値を算出することを特徴とする、請求項８に記載の画像処理装置。
【請求項１０】
前記終了時間決定手段は、現時点までの画面表示の終了時間に関する履歴情報を保存し、当該履歴情報に基づいて前記予測値を算出することを特徴とする、請求項８又は９に記載の画像処理装置。
【請求項１１】
前記輝度制御手段は、前記切替り時間に関する予測値にしたがって、前記低下させた輝度を増加させることを特徴とする、請求項８から１０のいずれか１項に記載の画像処理装置。
【請求項１２】
前記輝度制御手段は、前記映像信号に対応した輝度になるように、前記低下させた輝度を徐々に増加させることを特徴とする、請求項８から１１のいずれか１項に記載の画像処理装置。
【請求項１３】
前記輝度制御手段は、前記映像信号に対応した輝度よりも低くなるように輝度を低下させることを特徴とする、請求項８から１２のいずれか１項に記載の画像処理装置。
【請求項１４】
ネットワークを通じて入力される映像信号に基づいて画像表示のための処理を行う画像処理装置の制御方法であって、
前記映像信号に係る画面の表示切替りが開始したことを示す画面切替り情報に基づいて、前記映像信号に係る輝度制御値を決定する輝度決定ステップと、  
前記輝度制御値に基づいて、前記映像信号に係る画面の表示切替りが開始したことに応じて輝度を低下させる輝度制御を行う輝度制御ステップを有することを特徴とする画像処理装置の制御方法。
【請求項１５】
前記輝度決定ステップでは、前記映像信号に係る画面表示の経過状態を示す情報が入力され、
前記輝度制御ステップでは、前記経過状態を示す情報に基づいて、低下させた輝度を増加させることを特徴とする、請求項１４に記載の画像処理装置の制御方法。
【請求項１６】
前記輝度決定ステップでは、前記画面切替り情報として、ネットワーク上で指定されるアドレスに係るページ画面の表示が開始したことを示す情報が入力されることを特徴とする、請求項１４又は１５に記載の画像処理装置の制御方法。
【請求項１７】
前記輝度制御ステップでは、前記映像信号に対応した輝度になるように、低下させた輝度を徐々に増加させることを特徴とする、請求項１５又は１６に記載の画像処理装置の制御方法。
【請求項１８】
前記輝度決定ステップでは、前記経過状態を示す情報として、ネットワーク上で指定されるアドレスに係るページ画面を表示する際に当該アドレスを指定して表示する総情報量のうち、表示中の情報量が占める割合を示す情報が入力されることを特徴とする、請求項１５から１７のいずれか１項に記載の画像処理装置の制御方法。
【請求項１９】
ネットワークを通じてデータを取得し、前記輝度決定ステップで用いられる前記画面切替り情報及び前記経過状態を示す情報を出力するブラウザ表示処理ステップを有することを特徴とする、請求項１５から１８のいずれか１項に記載の画像処理装置の制御方法。
【請求項２０】
前記輝度制御ステップでは、前記映像信号に対応した輝度よりも低くなるように輝度を低下させることを特徴とする、請求項１４から１９のいずれか１項に記載の画像処理装置の制御方法。
【請求項２１】
ネットワークを通じて入力される映像信号に基づいて画像表示のための処理を行う画像処理装置の制御方法であって、
前記映像信号に係る画面の表示切替りが開始したことを示す画面切替り情報を受けて、画面表示の切替り時間に関する予測値を決定する切替り時間決定ステップと、
前記画面切替り情報及び前記映像信号に係る画面表示の経過状態を示す情報を受けて、前記映像信号に係る画面表示の終了時間に関する予測値を決定する終了時間決定ステップと、
前記画面切替り情報並びに前記切替り時間決定ステップ及び前記終了時間決定ステップによる各算出結果に基づいて予測輝度制御値を決定する予測輝度決定ステップと、
前記予測輝度制御値に基づいて、前記映像信号に係る画面の表示切替りが開始したことに応じて輝度を低下させる輝度制御を行う輝度制御ステップと、を有することを特徴とする画像処理装置の制御方法。
【請求項２２】
前記切替り時間決定ステップでは、現時点までの前記切替り時間に関する履歴情報を保存し、当該履歴情報に基づいて前記予測値を算出することを特徴とする、請求項２１に記載の画像処理装置の制御方法。
【請求項２３】
前記終了時間決定ステップでは、現時点までの画面表示の終了時間に関する履歴情報を保存し、当該履歴情報に基づいて前記予測値を算出することを特徴とする、請求項２１又は２２に記載の画像処理装置の制御方法。
【請求項２４】
前記輝度制御ステップでは、前記切替り時間に関する予測値にしたがって、前記低下させた輝度を増加させることを特徴とする、請求項２１から２３のいずれか１項に記載の画像処理装置の制御方法。
【請求項２５】
前記輝度制御ステップでは、前記映像信号に対応した輝度になるように、前記低下させた輝度を徐々に増加させることを特徴とする、請求項２１から２４のいずれか１項に記載の画像処理装置の制御方法。
【請求項２６】
前記輝度制御ステップでは、前記映像信号に対応した輝度よりも低くなるように輝度を低下させることを特徴とする、請求項２１から２５のいずれか１項に記載の画像処理装置の制御方法。
【請求項２７】
請求項１４から２６のいずれか１項に記載の画像形成装置の制御方法をコンピュータに実行させることを特徴とするコンピュータプログラム。
【手続補正２】
【補正対象書類名】明細書
【補正対象項目名】０００８
【補正方法】変更
【補正の内容】
【０００８】
上述した課題を解決するために、本発明に係る装置は、ネットワークを通じて入力される映像信号に基づいて画像表示のための処理を行う画像処理装置であって、前記映像信号に係る画面の表示切替りが開始したことを示す画面切替り情報に基づいて、前記映像信号に係る輝度制御値を決定する輝度決定手段と、前記輝度決定手段からの前記輝度制御値に基づいて、前記映像信号に係る画面の表示切替りが開始したことに応じて輝度を低下させる輝度制御を行う輝度制御手段と、を備える。